(57)【要約】【課題】鏡筒長を最短まで短縮する動作が容易に行えるレンズ鏡筒及びこれを備える撮像装置を提供する。【解決手段】レンズ鏡筒（１２０）は、複数のレンズからなる光学系の物体側に位置する第１レンズ群（１）と、第１レンズ群を駆動する駆動手段（１２，１３，１６）と、第１レンズ群より光学系の像側に配置されるとともに、その光学系の焦点距離を変更可能な第１状態（撮影領域Ａ）と第１状態に対して複数のレンズの間隔が狭い第２状態（収納領域Ｂ）とに変更可能な第２レンズ群（２）と、第２レンズ群の第１状態から第２状態への変更に伴って、駆動手段（１２，１３，１６）により第１レンズ群を像側へ駆動させる制御手段（１８）とを備えるものとした。【選択図】図２−１
2010085888.tif 000002
【特許請求の範囲】
【請求項１】
複数のレンズからなる光学系の被写体側に位置する第１レンズ群と、
前記第１レンズ群を駆動する駆動手段と、
前記第１レンズ群より前記光学系の像側に配置されるとともに、前記光学系の焦点距離を変更可能な第１状態と前記第１状態に対して前記複数のレンズの間隔が狭い第２状態とに変更可能な第２レンズ群と、
前記第２レンズ群の前記第１状態から前記第２状態への変更に伴って、前記駆動手段により前記第１レンズ群を前記像側へ駆動させる制御手段と、
を備えるレンズ鏡筒。
【請求項２】
請求項１に記載のレンズ鏡筒において、
操作されることにより、前記第２レンズ群を前記第１状態から前記第２状態に変更する操作部材を備え、
前記制御手段は、前記操作部材の操作に応じて前記駆動手段により前記第１レンズ群を前記像側へ駆動すること、
を特徴とするレンズ鏡筒。
【請求項３】
請求項１又は請求項２に記載のレンズ鏡筒において、
前記第２レンズ群の位置を検出する検出手段を備え、
前記制御手段は、前記検出手段による検出結果に基づいて前記第２レンズ群が前記第２状態であることを検出した場合に前記第１レンズ群を前記像側へ駆動すること、
を特徴とするレンズ鏡筒。
【請求項４】
請求項１から請求項３までのいずれか１項に記載のレンズ鏡筒において、
前記第２レンズ群が前記第２状態に変移することを禁止する禁止手段を備え、
前記制御手段は、前記禁止手段が解除された場合に前記第１レンズ群を前記像側へ駆動すること、
を特徴とするレンズ鏡筒。
【請求項５】
請求項１から請求項４までのいずれか１項に記載のレンズ鏡筒において、
前記第１レンズ群は、前記光学系の焦点調節を行うこと、
を特徴とするレンズ鏡筒。
【請求項６】
請求項５に記載のレンズ鏡筒において、
前記第２レンズ群は、
前記第１状態において、前記第１レンズ群との間隔を変更することにより、前記光学系の焦点距離を変更可能であり、
前記第２状態において、前記第１レンズ群の駆動に係わらず前記光学系を合焦とすることが不可能となること、
を特徴とするレンズ鏡筒。
【請求項７】
請求項１から請求項６までのいずれか１項に記載のレンズ鏡筒を備える撮像装置。
【請求項８】
請求項７に記載の撮像装置において、
前記レンズ鏡筒を撮像装置本体部に着脱可能に係合する係合手段と、前記係合を解除可能とする解除部材とを備え、
前記制御手段は、前記解除部材が操作された場合に前記第１レンズ群を前記像側へ駆動可能とすること、
を特徴とする撮像装置。
【請求項９】
複数のレンズからなる光学系の被写体側に位置する第１レンズ群と、
前記第１レンズ群を駆動する駆動手段と、
前記第１レンズ群より前記光学系の像側に配置されるとともに、前記光学系の焦点距離を変更可能な第１状態と前記第１状態に対して前記複数のレンズの間隔が狭い第２状態とに変更可能な第２レンズ群と、
前記第２レンズ群の前記第１状態から前記第２状態への変更に伴って、前記駆動手段により前記第１レンズ群を前記像側へ駆動させる制御手段と、
を備える撮像装置。
【発明の詳細な説明】
【技術分野】
【０００１】
本発明は、レンズ鏡筒及びこれを備える撮像装置に関するものである。
【背景技術】
【０００２】
従来、ズームレンズ鏡筒の携帯性や不使用時の収納性を向上させるために、レンズの間隔を合焦不可能な位置関係にまで狭めてレンズ鏡筒長を縮めることが可能なレンズ鏡筒が知られている（例えば、特許文献１参照）。
【特許文献１】特開平２−２５８１５号公報
【発明の開示】
【発明が解決しようとする課題】
【０００３】
レンズ鏡筒の中には、手動によるズーム環の操作によってズーミングが可能であるが、フォーカシングはカメラボディ内のＣＰＵ等により自動制御され、手動によるフォーカシングが不可能であるレンズ鏡筒がある。このようなレンズ鏡筒において、フォーカシングレンズが最も被写体側のレンズ群であった場合に、例えば、レンズ鏡筒をカメラボディから外した後に、レンズ鏡筒を最短長まで縮めようとすると、フォーカシングレンズが被写体側へ繰り出したままとなってしまい、最短長まで縮めることができないという問題があった。
【０００４】
本発明の課題は、鏡筒長を最短まで短縮する動作が容易に行えるレンズ鏡筒及びこれを備える撮像装置を提供することである。
【課題を解決するための手段】
【０００５】
本発明は、以下のような解決手段により、前記課題を解決する。
請求項１の発明は、複数のレンズからなる光学系の被写体側に位置する第１レンズ群（１）と、前記第１レンズ群を駆動する駆動手段（１２，１３，１６）と、前記第１レンズ群より前記光学系の像側に配置されるとともに、前記光学系の焦点距離を変更可能な第１状態（撮影領域Ａ）と前記第１状態に対して前記複数のレンズの間隔が狭い第２状態（収納領域Ｂ）とに変更可能な第２レンズ群（２）と、前記第２レンズ群の前記第１状態から前記第２状態への変更に伴って、前記駆動手段（１２，１３，１６）により前記第１レンズ群を前記像側へ駆動させる制御手段（１８，２８）と、を備えるレンズ鏡筒（１２０，２２０）である。
請求項２の発明は、請求項１に記載のレンズ鏡筒において、操作されることにより、前記第２レンズ群（２）を前記第１状態（撮影領域Ａ）から前記第２状態（収納領域Ｂ）に変更する操作部材（５）を備え、前記制御手段（１８，２８）は、前記操作部材の操作に応じて前記駆動手段（１２，１３，１６）により前記第１レンズ群（１）を前記像側へ駆動すること、を特徴とするレンズ鏡筒（１２０）である。
請求項３の発明は、請求項１又は請求項２に記載のレンズ鏡筒において、前記第２レンズ群（２）の位置を検出する検出手段（１５）を備え、前記制御手段（１８）は、前記検出手段による検出結果に基づいて前記第２レンズ群が前記第２状態（収納領域Ｂ）であることを検出した場合に前記第１レンズ群（１）を前記像側へ駆動すること、を特徴とするレンズ鏡筒（１２０）である。
請求項４の発明は、請求項１から請求項３までのいずれか１項に記載のレンズ鏡筒において、前記第２レンズ群（２）が前記第２状態（収納領域Ｂ）に変移することを禁止する禁止手段を備え、前記制御手段は、前記禁止手段が解除された場合に前記第１レンズ群（１）を前記像側へ駆動すること、を特徴とするレンズ鏡筒（２２０）である。
請求項５の発明は、請求項１から請求項４までのいずれか１項に記載のレンズ鏡筒において、前記第１レンズ群（１）は、前記光学系の焦点調節を行うこと、を特徴とするレンズ鏡筒（１２０，２２０）である。
【０００６】
請求項６の発明は、請求項５に記載のレンズ鏡筒において、前記第２レンズ群（２）は、前記第１状態（撮影領域Ａ）において、前記第１レンズ群（１）との間隔を変更することにより、前記光学系の焦点距離を変更可能であり、前記第２状態（収納領域Ｂ）において、前記第１レンズ群の駆動に係わらず前記光学系を合焦とすることが不可能となること、を特徴とするレンズ鏡筒（１２０，２２０）である。
請求項７の発明は、請求項１から請求項６までのいずれか１項に記載のレンズ鏡筒（１２０，２２０）を備える撮像装置（１００，２００）である。
請求項８の発明は、請求項７に記載の撮像装置において、前記レンズ鏡筒を撮像装置本体部に着脱可能に係合する係合手段と、前記係合を解除可能とする解除部材とを備え、前記制御手段は、前記解除部材が操作された場合に前記第１レンズ群を前記像側へ駆動可能とすること、を特徴とする撮像装置である。
【０００７】
請求項９の発明は、複数のレンズからなる光学系の被写体側に位置する第１レンズ群（１）と、前記第１レンズ群を駆動する駆動手段（１２，１３，１６）と、前記第１レンズ群より前記光学系の像側に配置されるとともに、前記光学系の焦点距離を変更可能な第１状態（撮影領域Ａ）と前記第１状態に対して前記複数のレンズの間隔が狭い第２状態（収納領域Ｂ）とに変更可能な第２レンズ群（２）と、前記第２レンズ群の前記第１状態から前記第２状態への変更に伴って、前記駆動手段により前記第１レンズ群を前記像側へ駆動させる制御手段（１８，２８，３１２）と、を備える撮像装置（１００，２００，３００）である。
なお、本発明をわかりやすく説明するために、実施形態を示す図面の符号に対応付けて説明したが、本発明は、これに限定されるものではなく、後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明の効果】
【０００８】
本発明によれば、鏡筒長を最短まで鏡筒長を短縮する動作が容易に行えるレンズ鏡筒及びこれを備える撮像装置を提供することができる。
【発明を実施するための最良の形態】
【０００９】
以下、図面等を参照しながら、本発明の実施形態について詳細に説明する。なお、図１を含め、以下に示す各図は、模式的に示した図であり、各部の大きさ、形状は、理解を容易にするために、適宜誇張している。
【００１０】
（第１実施形態）
図１は、第１実施形態のカメラを示す図である。
第１実施形態のカメラ１００は、カメラボディ１１０と、カメラボディ１１０に対して着脱可能な交換レンズであるレンズ鏡筒１２０とを備えている。
カメラボディ１１０は、レンズ鏡筒１２０側の側面に、レンズ鏡筒１２０をカメラボディ１１０から取り外し可能とする着脱ボタン１１１と不図示のマウント部とを備え、内部に不図示の撮像素子とＣＰＵ１１２（図３参照）を備えている。
レンズ鏡筒１２０は、略円筒形状であって一方の端部にカメラボディ１１０に着脱可能とするマウント部３（図２参照）を備えるズームレンズであり、内部には光軸Ｏ方向に沿って複数のレンズが配置されている。本実施形態のレンズ鏡筒１２０は、ズーム環５を矢印Ｃ方向又は矢印Ｄ方向へ回転させることにより、手動でズーミング可能であるが、フォーカシングはカメラボディ１１０に備えられたＣＰＵ１１２からの信号によって制御され、手動でのフォーカシングが不可能となっている。
また、カメラボディ１１０とレンズ鏡筒１２０とは、例えば、バヨネット式のマウント部をそれぞれ備え、このマウント部によりカメラボディ１１０にレンズ鏡筒１２０が装着される形態となっている。
このカメラボディ１１０にレンズ鏡筒１２０が装着された状態において、使用者が着脱ボタン１１１を押すと、マウント部分の係合が外れ、レンズ鏡筒１２０をカメラボディ１１０から取り外すことが可能である。
【００１１】
図２（図２−１，図２−２）は、第１実施形態のレンズ鏡筒の断面図である。図２（ａ）は、レンズ鏡筒１２０の鏡筒長が最短となる収納状態を示し、図２（ｂ）は、ワイド端において無限遠に合焦した状態を示し、図２（ｃ）は、テレ端において無限遠に合焦した状態を示し、図２（ｄ）は、テレ端において至近に合焦した状態を示している。なお、図２では、理解を容易にするために、レンズ鏡筒１２０の光軸Ｏを含む断面のうち、光軸Ｏに対して一方側のみを示している。
図３は、第１実施形態のカメラを説明するブロック図である。
図１〜３に示すように、本実施形態のレンズ鏡筒１２０は、第１レンズ群１、第２レンズ群２、マウント部３、外固定筒４、ズーム環５、直進キー６、内固定筒７、カム筒８、移動枠９、第２保持枠１０、筒部材１１、第１保持枠１２、フォーカス連動リング１３、フォーカスエンコーダ１４、ズームエンコーダ１５、モータ１６、ギア１７、制御部１８等を備えている。
【００１２】
本実施形態のレンズ鏡筒１２０の内部には、光軸Ｏ方向の被写体側（カメラボディ１１０とは反対側）に第１レンズ群１が配置され、像側（カメラボディ１１０側）に第２レンズ群２が配置されている。この第１レンズ群１と第２レンズ群２とにより、カメラボディ１１０内に備えられた不図示の撮像素子の表面に被写体像が形成される。
第１レンズ群１は、第１保持枠１２に保持されている。また、第２レンズ群２は、第２保持枠１０に保持されている。この第１レンズ群１及び第２レンズ群２は、ズーム動作時には、カム機構（直進キー６，内固定筒７，カム筒８，移動枠９）等によってともに光軸Ｏ方向に移動可能である。しかし、フォーカス動作時には、第１レンズ群１のみが、光軸Ｏ方向に移動可能であり、第２レンズ群２は光軸Ｏ方向には移動しない。
【００１３】
マウント部３は、レンズ鏡筒１２０をカメラボディ１１０に着脱可能とする部分である。
外固定筒４は、レンズ鏡筒１２０の外周側であってマウント部３側に設けられた略円環形状の部材である。本実施形態の外固定筒４の外周面には、ズーム環５の回転規制を解除する回転規制解除ボタン１２１（図１参照）や、ズーム環５の回転量の表示に用いられる後述のボタン４ａ（図４参照）が設けられている。
ズーム環５は、略円筒形状であり、レンズ鏡筒１２０の外周側であって外固定筒４より被写体側に設けられた部材である。ズーム環５は、光軸Ｏ回りに回転可能であるが、光軸Ｏ方向には移動不可能に設けられている。このズーム環５が光軸Ｏ回りに所定量回転することにより、後述のカム筒８等が駆動され、レンズ鏡筒１２０のズーム動作を行うことができる。
直進キー６は、ズーム環５の内径側に配置されている。この直進キー６には、不図示の溝部が後述するカム筒８のカムピン８ａが係合しており、ズーム環５の回転に連動してカム筒８を光軸Ｏ方向にガイドする。
【００１４】
内固定筒７は、直進キー６の内径側に配置された略円筒形状の部材である。内固定筒７には、カム筒８のカムピン８ｂや移動枠９のカムピン９ｂが係合する不図示のカム溝がそれぞれ設けてある。
カム筒８は、内固定筒７の内径側に配置された略円筒形状の部材である。カム筒８には、移動枠９のカムピン９ｂや第２保持枠１０のカムピン１０ａが係合する不図示のカム溝が形成されている。また、カム筒８の外周面には、内固定筒７を介して直進キー６とカム係合するカムピン８ａ、内固定筒７とカム係合するカムピン８ｂが設けられている。
【００１５】
移動枠９は、カム筒８の内径側に設けられた略円筒形状の部材である。移動枠９には、第２保持枠１０のカムピン１０ａがカム係合するカム溝が形成されている。また、移動枠９のマウント部３側（像側）の外周面には、カム筒８及び内固定筒７とカム係合するカムピン９ｂが形成され、第１レンズ群１側（被写体側）の外周面には、第１保持枠１２とカム係合するカムピン９ａが形成されている。
第２保持枠１０は、移動枠９の内径側であって光軸Ｏ方向の像側に配置された略円環形状の部材である。第２保持枠１０は、第２レンズ群２を保持している。また、第２保持枠１０は、外周側に形成されたカムピン１０ａが移動枠９及びカム筒８のカム溝とカム係合しており、ズーム環５の光軸Ｏ回りの回転に連動して、光軸Ｏに沿って移動可能である。
【００１６】
第１保持枠１２は、ズーム環５より内径側であって光軸Ｏ方向において被写体側に配置された略円環形状の部材であり、第１レンズ群１を保持している。第１保持枠１２は、移動枠９とカム係合しており、ズーム動作時には、ズーム環５の光軸Ｏ回りの回転に連動する移動枠９の光軸Ｏ方向の移動に伴い、光軸Ｏ方向に移動可能である。
また、第１保持枠１２は、光軸Ｏに沿ってマウント部３側（像側）に延在する腕部１２ａを有している。この腕部１２ａは、後述するフォーカス連動リング１３に形成された溝部１３ａに係合しており、フォーカス動作時等には、フォーカス連動リング１３の回転によって光軸Ｏ方向へ移動可能である。
径方向において第１保持枠１２とズーム環５との間には、筒部材１１が設けられている。この筒部材１１は、ズーム環５の回転に連動して、光軸Ｏ方向に移動可能に設けられている。
【００１７】
モータ１６は、制御部１８からの指示に基づいて、第１レンズ群１を光軸Ｏ方向に駆動させる駆動力を発生するモータである。本実施形態のモータ１６は、光軸Ｏ方向においてレンズ鏡筒１２０のマウント部３側であって、径方向において内固定筒７とズーム環５との間となる空間に配置されている。このモータ１６を起動するための電力は、カメラボディ１１０から供給されている。
モータ１６の駆動力は、モータ１６の被写体側に設けられたギア１７を介してフォーカス連動リング１３へ伝達される。モータ１６は、例えば、回転型の超音波モータを用いてもよいし、リニア型のモータや、超音波領域の振動を利用しない電気機械変換アクチュエータ等の他のアクチュエータ等を用いてもよい。
【００１８】
フォーカス連動リング１３は、内固定筒７の外径側に配置された略円環形状の部材である。フォーカス連動リング１３には、光軸Ｏ方向においてギア１７とは反対側に光軸Ｏ方向を長手方向とする上述の溝部１３ａが形成され、この溝部１３ａに、被写体側から第１保持枠１２の腕部１２ａが係合している。
このフォーカス連動リング１３は、モータ１６の駆動によって光軸Ｏ回りに回転し、この回転により腕部１２ａを介して第１保持枠１２が光軸Ｏ方向に移動する。すなわち、モータ１６の駆動により、第１レンズ群１が光軸Ｏ方向に駆動される。
【００１９】
フォーカスエンコーダ１４は、内固定筒７の外径側にフォーカス連動リング１３に隣接して設けられている。このフォーカスエンコーダ１４は、フォーカス連動リング１３の回転量を検出する機能を有する。
本実施形態のフォーカスエンコーダ１４が検出したフォーカス連動リング１３の回転量に関する情報は、制御部１８へ伝達される。
ズームエンコーダ１５は、内固定筒７の外径側であって、フォーカスエンコーダ１４より像側（マウント部３側）に設けられている。このズームエンコーダ１５は、ズーム環５の光軸Ｏ回りの回転量を検出する機能を有する。
ズームエンコーダ１５が検出したズーム環５の回転量に関する情報は、制御部１８へ伝達される。
【００２０】
制御部１８は、フォーカスエンコーダ１４及びズームエンコーダ１５からの情報に基づいて、第１レンズ群１及び第２レンズ群２の光軸Ｏ方向における位置を算出し、この結果に基づいて、モータ１６の駆動を制御する機能を有する。制御部１８は、カメラボディ１１０本体から供給される電力により起動される。
ＣＰＵ１１２は、カメラボディ１１０内に設けられ、カメラ１００の撮影時における様々な演算や制御を行う。
【００２１】
図４は、第１実施形態のレンズ鏡筒のズーム環の操作範囲を説明する図である。図４では、ズーム環５及び外固定筒４をレンズ鏡筒１２０の外周側から観察した状態を展開して示している。本実施形態の外固定筒４は光軸Ｏ回りには回転不可能であり、ズーム環５が矢印に沿って光軸Ｏ回りに回転可能であるが、理解を容易にするために、図４では、外固定筒４のボタン４ａが矢印に沿って移動したかのように示している。
外固定筒４のボタン４ａは、ズーム環５の回転量が撮影領域Ａ内であるか、収納領域Ｂ内であるかを使用者に示す指示部材である。ボタン４ａがズーム環５の指標「Ｗ」と指標「Ｔ」の間に位置する場合は、ズーム環５の回転量が撮影領域Ａ内にあることを示し、ボタン４ａがズーム環５の指標「Ｗ」と指標「○」の間に位置する場合は、ズーム環５の回転量が収納領域Ｂ内にあることを示している。
また、ズーム環５のボタン４ａと指標「Ｗ」が一致した状態は、レンズ鏡筒１２０がワイド端（図２（ｂ）参照）であることを示し、ボタン４ａと指標「Ｔ」が一致した状態は、レンズ鏡筒１２０がテレ端（図２（ｃ），（ｄ）参照）であることを示している。そしてボタン４ａと指標「○」とが一致した状態は、レンズ鏡筒１２０が最短まで短縮された収納状態（図２（ａ）参照）であることを示している。
【００２２】
ズーム環５は、矢印Ｃ方向及び矢印Ｄ方向に回転することができるが、撮影時には、ズーム環５の回転を規制する回転規制機構により、撮影領域Ａの範囲内（ワイド端の状態からテレ端の状態まで）でのみ回転可能に規制されている。この回転規制機構は、例えば、スライドスイッチ機構等を用いることができる。
そして、回転規制機構は、レンズ鏡筒１２０の外周面に設けられた回転規制解除ボタン１２１（図１参照）を押すことにより、規制が解除される。これにより、ズーム環５の回転規制が解除され、ズーム環５は、収納領域Ｂの範囲内へ回転可能となる。
【００２３】
次に、このレンズ鏡筒１２０の動作に関して説明する。
（１）ズーム動作
レンズ鏡筒１２０が、カメラボディ１１０に装着され、ワイド端（例えば、図２（ｂ）参照）の状態であるとする。このとき、図４に示すように、外固定筒４のボタン４ａは、ズーム環５に設けられた指標「Ｗ」と一致している。
使用者が手動でズーム環５を矢印Ｃ方向へ光軸Ｏ回りに回転させると、ズーム環５の外周に設けられた指標「Ｔ」は、ボタン４ａの方向へ移動する。
ズーム環５の回転運動は、直進キー６及び内固定筒７を介してカム筒８に伝達され、カム筒８は、回転しながら光軸Ｏ方向に沿って被写体側へ移動する。これに伴い、移動枠９、第２保持枠１０及び第１保持枠１２が光軸Ｏに沿って被写体側へ移動し、第１レンズ群１及び第２レンズ群２も光軸Ｏに沿って移動し、ズーミングが行われる。図２（ｃ）は、テレ端の状態を示し、このとき、レンズ鏡筒１２０の鏡筒長は、ワイド端における鏡筒長よりも長くなる。
【００２４】
また、使用者が、手動でズーム環５を逆方向（矢印Ｄ方向）へ回転させることにより、上述した動作と逆方向の動作が生じ、テレ端の状態からワイド端の状態（例えば、図２（ｂ）参照）へと戻すことが可能である。
そして、使用者が、ズーム動作を行った状態からズーム環５を矢印Ｄ方向へ回転させると、指標「Ｗ」がボタン４ａと一致する位置（ワイド端の状態）まではズーム環５は回転可能であるが、その位置から収納領域Ｂ側へのズーム環５の回転は、回転規制機構により規制される。
【００２５】
（２）フォーカス動作
レンズ鏡筒１２０のフォーカス動作について説明する。
使用者は、ズーム環５を回転させてズーム動作を行い、所望のズーム位置を決定した後、カメラボディ１１０に設けられたレリーズボタンを半押しする。すると、カメラボディ１１０内のＣＰＵ１２２から、フォーカス動作を指示する情報が制御部１８へ伝達される。制御部１８は、その情報に基づいてモータ１６に駆動信号を与える。この駆動信号により、モータ１６が駆動され、ギア１７を介してフォーカス連動リング１３が回転駆動される。
フォーカス連動リング１３の回転により、第１保持枠１２の腕部１２ａが光軸Ｏに沿って被写体側へ移動し、第１レンズ群１が合焦位置に到達する（例えば、図２（ｄ）参照）。本実施形態では、至近に合焦した場合の方が、無限遠に合焦した場合よりも第１レンズ群１が被写体側へ繰り出した形態となっており、レンズ鏡筒１２０の鏡筒長（光軸Ｏ方向における長さ）は、テレ端で至近に合焦した状態で最も長くなる。
【００２６】
（３）鏡筒長の短縮動作
レンズ鏡筒１２０における鏡筒長の短縮動作について説明する。
例えば、使用者は、レンズ鏡筒１２０が図２（ｄ）に示すようなテレ端である状態から、ズーム環５を矢印Ｄ方向へ回転させていく。
そして、レンズ鏡筒１２０がワイド端に達してズーム環５の回転が規制される位置まで回転させると、回転規制機構によりズーム環５の回転が規制されて、ズーム環５は、それ以上の回転ができなくなる。
この状態で、使用者が、回転規制解除ボタン１２１を押すと、ズーム環５の回転規制が解除される。そして、ズーム環５は、さらに収納領域Ｂ側へ進む方向（図４に示す矢印Ｄ方向）へ回転可能となる。
【００２７】
使用者がズーム環５を収納領域Ｂ側に回転させていくと、その回転に連動して、カム筒８、移動枠９、第２保持枠１０、第１保持枠１２等は、光軸Ｏに沿ってカメラボディ１１０側（像側）へ移動する。これに伴い、第１レンズ群１及び第２レンズ群２は、カメラボディ１１０側（像側）へ移動する。
そうすると、ズームエンコーダ１５からのズーム環５の回転量に関する情報から、制御部１８は、ズーム環５の収納領域Ｂ内へ回転したことを検知する。そして、制御部１８は、フォーカスエンコーダ１４からの情報に基づき、第１レンズ群１を図２（ａ）に示す収納位置まで移動させるようにモータ１６へ駆動信号を送る。これにより、第１レンズ群１は、合焦等のために被写体側へ移動して繰り出していた位置から、像側（カメラボディ１１０側）の収納位置へ移動する。
【００２８】
そして、ズーム環５の指標「○」がボタン４ａと一致するまでズーム環５を回転させると、ズーム環５の回転に連動する第１レンズ群１及び第２レンズ群２の像側への移動と、モータ１６の駆動による第１レンズ群１の像側への移動により、レンズ鏡筒１２０は、図２（ａ）に示すような収納状態となる。
この収納状態において、第１レンズ群１と第２レンズ群２との光軸Ｏ方向における間隔は、最短となり、かつ、レンズ鏡筒１２０の鏡筒長（光軸Ｏ方向における長さ）は、最短となる。この収納状態では、第１レンズ群１と第２レンズ群２との光学的な位置関係が近すぎるため、レンズ鏡筒１２０は、カメラボディ１１０内の撮像素子表面上に合焦不可能である。
なお、上述したレンズ鏡筒１２０の鏡筒長の短縮動作において、レンズ鏡筒１２０の光学系がどのような位置の被写体に合焦している場合であっても（すなわち、無限遠に合焦している場合であっても、至近に合焦している場合であっても）、使用者は、ズーム環５を収納領域Ｂ内へ回転させることにより、図２（ａ）に示すような第１レンズ群１の収納位置への移動を行うことができる。
使用者は、着脱ボタン１１１を押してマウント部３とカメラボディ１１０のマウント部との係合を解除し、最短長となったレンズ鏡筒１２０をカメラボディ１１０から外して、レンズ鏡筒１２０を鏡筒長が最短の状態で収納することが可能となる。
【００２９】
一方、レンズ鏡筒１２０を使用するときには、使用者は、マウント部３によりカメラボディ１１０にレンズ鏡筒１２０を装着する。このとき、レンズ鏡筒１２０は、図２（ａ）に示すような収納状態であり、カメラボディ１１０の撮像素子の表面上には合焦不可能な状態である。
制御部１８は、ズームエンコーダ１５からの情報により検出されたズーム環５の位置から、レンズ鏡筒１２０が収納状態であることを検知し、ＣＰＵ１２２にその情報を伝達する。ＣＰＵ１２２は、例えば、カメラボディ１１０の撮影者側に設けられた不図示の表示画面やファインダー内の表示部等に合焦不能であることを表示したり、使用者にワイド端となる位置までズーム環５を回転させる指示を表示したりする。
使用者は、ズーム環５を図２及び図４に示す矢印Ｃ方向へ、ボタン４ａと指標「Ｗ」とが一致するまで回転させる。ボタン４ａがズーム環５の指標「Ｗ」と一致し、回転が規制された領域（撮影領域Ａ）に入ると、ズーム環５の収納領域Ｂ側への回転が規制される。そして、ズーム環５は、撮影領域Ａ内でのみ回転可能となる。
【００３０】
本実施形態によれば、以下の効果を奏することができる。
通常、フォーカス動作が、カメラボディ内のＣＰＵによって制御され、手動で行うことが不可能なレンズ鏡筒の場合、図２（ｂ）〜（ｄ）に示すような第１レンズ群１が被写体側へ移動したままの状態で、着脱ボタンを押してカメラボディからレンズ鏡筒を外すと、モータがカメラボディのＣＰＵからの信号を受信できなくなる。そのため、第１レンズ群１が被写体側へ移動したままの状態であってレンズ鏡筒の鏡筒長が長いまま保管しなければならなくなり、携帯時にかさ張ったり、レンズが衝撃等により破損したりする可能性がある等の問題があった。
【００３１】
しかし、本実施形態によれば、ズーム環５の回転量が、ズーミングを行うための回転量を超えて回転したこと、すなわち、ズーム環５が収納領域Ｂ内へ回転されたことをズームエンコーダ１５により制御部が検知すると、第１レンズ群１は、制御部１８によって像側へ移動される。
従って、フォーカス動作等により第１レンズ群１が被写体側へ移動したままの状態で、ズーム環５を回転させて鏡筒長を縮める短縮動作を行ったとしても、ズーム環５の回転に伴って第１レンズ群１及び第２レンズ群２が像側へ移動する。そして、第１レンズ群１と第２レンズ群２との間隔が最短となる収納状態とすることができる。よって、使用者は、鏡筒長の短縮作業を容易に行うことができる。
【００３２】
さらに、収納状態のレンズ鏡筒１２０は、その鏡筒長が最短となるので、携行時にかさ張ることがなく、第１レンズ群１被写体側へ移動した状態であるときに起こり得るような衝撃等によるレンズの破損も防止できる。
また、撮影時には、ズーム環５は、回転規制機構により回転が規制され、合焦不可能な収納領域Ｂ側へは回転しない。従って、使用者が、撮影時に収納領域Ｂ側へズーム環５を回転させてしまうことを防ぐことができる。
【００３３】
（第２実施形態）
図５は、第２実施形態のカメラを説明するブロック図である。
第２実施形態のカメラ２００は、レンズ鏡筒２２０内のズームエンコーダ２５が撮影領域Ａの範囲内におけるズーム環５の回転量のみを検出し、制御部２８が回転規制解除ボタン２２１の操作を検出する点が異なる以外は、第１実施形態に示すカメラ１００と略同様の形態である。よって、第１実施形態と同様の機能を果たす部分には、同一の符号又は末尾に同一の符号を付して、重複する符号を適宜省略する。
第２実施形態の制御部２８は、レンズ鏡筒２２０の回転規制解除ボタン２２１が操作されたことを検知する機能を備える。
また、第２実施形態のズームエンコーダ２５は、ズーム環５の回転に関して、撮影領域Ａ内の回転量のみを検出し、撮影領域Ａから収納領域Ｂへの回転や収納領域Ｂ内での回転量は検出しない。
【００３４】
第２実施形態のカメラ２００におけるレンズ鏡筒２２０の鏡筒長の短縮動作について説明する。
使用者は、レンズ鏡筒２２０の回転規制解除ボタン２２１を押し、ズーム環５の収納領域Ｂ側への回転規制を解除する。すると、回転規制解除ボタン２２１が操作された信号が制御部２８へ伝達され、制御部２８が回転規制解除ボタンの操作を検出する。制御部２８は、フォーカスエンコーダ１４が検出したフォーカス連動リング１３の回転量の情報を基に、第１レンズ群１の位置や収納位置までの移動距離や方向等を算出する。
次に、制御部２８は、算出した第１レンズ群１の位置等に基づいて、モータ１６を駆動してフォーカス連動リング１３を回転させる。これにより、第１保持枠１２が光軸Ｏに沿ってカメラボディ１１０側（像側）に移動し、第１レンズ群１が収納位置まで像側へ移動する。
使用者は、ズーム環５を矢印Ｄ方向へ、ズーム環５の指標「○」が外固定筒４のボタン４ａと一致するまで回転させ、レンズ鏡筒１２０をの鏡筒長を短縮する。ボタン４ａと指標「○」とが一致すると、第１レンズ群１と第２レンズ群２との光軸Ｏ方向における間隔は最短となり（収納状態）、レンズ鏡筒２２０の鏡筒長は、最短となる。
【００３５】
よって、本実施形態によれば、使用者は、レンズ鏡筒２２０の鏡筒長を縮める動作に必要な回転規制解除ボタン２２１を押すという操作を行うだけで、第１レンズ群１が収納位置まで像側へ移動するので、容易に鏡筒長を最短にすることができる。
また、本実施形態によれば、ズームエンコーダ２５は、撮影領域Ａ内におけるズーム環５の回転量のみを検出すればよいので、ズームエンコーダ２５を簡略化できる。
【００３６】
（変形形態）
以上説明した実施形態に限定されることなく、種々の変形や変更が可能である。
（１）各実施形態において、レンズ鏡筒１２０，２２０は、ズーム動作により、至近に合焦する場合に最も第１レンズ群１が被写体側に移動する形態である例を示したが、これに限らず、例えば、無限遠に合焦する場合に最も第１レンズ群１が被写体側へ移動する形態であってもよい。
【００３７】
（２）各実施形態において、制御部１８，２８が、ズーム環５の回転量や回転規制解除ボタン２２１の操作を検知し、それによりモータ１６を駆動して第１レンズ群１を像側へ移動する形態を示したが、これに限らず、例えば、制御部１８，２８を用いず、カメラボディ内のＣＰＵが、それらの短縮動作を検出して、第１レンズ群１の位置や移動方向を算出し、モータ１６に駆動信号を与え第１レンズ群１を収納位置まで像側へ移動させる形態としてもよい。このような形態とすれば、レンズ鏡筒１２０，２２０内の制御部１８を省略できるので、レンズ鏡筒のコストダウン等を図ることができる。
また、この場合、例えば、ＣＰＵがレンズ鏡筒を取り外すための着脱ボタンの操作を検出することにより、第１レンズ群１が像側へ移動する形態としてもよい。
【００３８】
図６は、変形形態のカメラを説明するブロック図である。なお、図６において上述の第１実施形態及び第２実施形態と同様の機能を果たす部分には、同一の符号又は末尾に同一の符号を付して、適宜重複する説明を省略する。
図６に示す変形形態のカメラ３００は、ＣＰＵ３１２を備えるカメラボディ３１０と、レンズ鏡筒３２０とを有している。
このカメラ３００において、ＣＰＵ３１２は、レンズ鏡筒３２０を取り外すための着脱ボタン３１１の操作を検出すると、モータ１６を駆動して第１レンズ群１を像側へ移動させる構成となっている。このような形態とすれば、レンズ鏡筒３２０をカメラボディ３１０から取り外すための着脱ボタン３１１を押せば、自動的に第１レンズ群１が収納位置まで像側へ移動するので、鏡筒長の短縮動作が容易である。
【００３９】
（３）各実施形態において、制御部１８，２８が、ズーム環５の回転量や回転規制解除ボタン２２１の操作を検知し、それによりモータ１６を駆動して第１レンズ群１を像側へ移動させる形態を示した。しかし、これに限らず、例えば、レンズ鏡筒の制御部が、着脱ボタンの操作を検知してモータ１６を駆動し、第１レンズ群１を像側へ移動させる構成としてもよい。
【００４０】
（４）各実施形態において、レンズ鏡筒１２０，２２０は、第１レンズ群１と第２レンズ群２の２つのレンズ群を有する例を示したが、これに限らず、レンズ群は３つ以上あってもよい。
【００４１】
（５）各実施形態において、フォーカス連動リング１３の回転量、ズーム環５の回転量をエンコーダ（フォーカスエンコーダ１４、ズームエンコーダ１５）を用いて検出する例を示したが、これに限らず、例えば、フォトインタラプタやホール素子等を用いて検出する形態としてもよい。
【００４２】
（６）各実施形態において、第１レンズ群１及び第２レンズ群２は、カム筒８や移動枠９等のカム機構によって光軸Ｏ方向に移動可能である例を示したが、これに限らず、例えば、第１保持枠１２が、直進ガイド等と係合しており、ズーム環５の回転が直進ガイドに伝達され、これにより第２レンズ群２が光軸方向に駆動される形態としてもよい。
なお、上述の実施形態及び変形形態は、適宜組み合わせて用いることもできるが、詳細な説明は省略する。また、本発明は以上説明した各実施形態によって限定されることはない。
【図面の簡単な説明】
【００４３】
【図１】第１実施形態のカメラを示す図である。
【図２−１】第１実施形態のレンズ鏡筒の断面図である。
【図２−２】第１実施形態のレンズ鏡筒の断面図である。
【図３】第１実施形態のカメラを説明するブロック図である。
【図４】第１実施形態のレンズ鏡筒のズーム環の操作範囲を説明する図である。
【図５】第２実施形態のカメラを説明するブロック図である。
【図６】変形形態のカメラを説明するブロック図である。
【符号の説明】
【００４４】
１：第１レンズ群、２：第２レンズ群、５：ズーム環、６：直進キー、７：内固定筒、８：カム筒、９：移動枠、１０：第２移動枠、１２：第１移動枠、１６：モータ、１８，２８：制御部、１００，２００：カメラ、１１０：カメラボディ、１２０，２２０：レンズ鏡筒
【図１】
2010085888.tif 000003
【図２−１】
2010085888.tif 000004
【図２−２】
2010085888.tif 000005
【図３】
2010085888.tif 000006
【図４】
2010085888.tif 000007
【図５】
2010085888.tif 000008
【図６】
2010085888.tif 000009